(57)【要約】      （修正有）【課題】本発明は、光源部が供給する光の色を調節できるバックライトユニットを提供する。【解決手段】点光源を含む光源部と、光源部からの光を受光する光ファイバー７１と、光ファイバー７１が受光した光が伝達されて色を感知する光センサー７５と、前記光源部に電源を供給する光源駆動部８５と、光センサー７５が感知した色に基づき、前記光源部が所望する色の光を供給するように光源駆動部８５を制御する光源制御部８１と、を含んでいる。【選択図】図３
2007066891.tif 000002
【特許請求の範囲】
【請求項１】
点光源を含む光源部と、
前記光源部からの光を受光する光ファイバーと、
前記光ファイバーが受光した光が伝達されて色を感知する光センサーと、
前記光源部に電源を供給する光源駆動部と、
前記光センサーが感知した色に基づき、前記光源部が所望する色の光を供給するように前記光源駆動部を制御する光源制御部と、
を含むことを特徴とするバックライトユニット。
【請求項２】
前記光源部を受容する蓋をさらに含み、
前記光センサーは、前記蓋の背面に位置することを特徴とする請求項１に記載のバックライトユニット。
【請求項３】
前記光センサーと前記光源制御部とは、単一の基板に実装されることを特徴とする請求項１に記載のバックライトユニット。
【請求項４】
前記光ファイバーは、複数備えられていることを特徴とする請求項１に記載のバックライトユニット。
【請求項５】
前記光センサーは、少なくとも２つ以上の前記光ファイバーに連結されていることを特徴とする請求項４に記載のバックライトユニット。
【請求項６】
前記光ファイバーの一側末端は、前記光源部の略中央部に位置することを特徴とする請求項１に記載のバックライトユニット。
【請求項７】
前記光ファイバーの一側末端は、前記光源部の側面に位置することを特徴とする請求項１に記載のバックライトユニット。
【請求項８】
前記光源部は、緑色発光ダイオード、赤色発光ダイオード、及び青色発光ダイオードを含むことを特徴とする請求項１に記載のバックライトユニット。
【請求項９】
前記光ファイバーの一側末端にはレンズが付着されていることを特徴とする請求項１に記載のバックライトユニット。
【請求項１０】
前記光ファイバーと前記光センサーとの間に位置して、前記光ファイバーからの光をフィルターリングまたは平均化する光学部品をさらに含むことを特徴とする請求項１に記載のバックライトユニット。
【請求項１１】
前記光ファイバーの一側末端は、前記点光源に隣接に配置されることを特徴とする請求項１に記載のバックライトユニット。
【請求項１２】
前記光源制御部は、前記点光源の発光色別に前記光源駆動部を制御することを特徴とする請求項１に記載のバックライトユニット。
【請求項１３】
前記光ファイバーは複数であって、前記光源部の複数の地点で光を受光し、
前記光源制御部は、前記光源部を区域別に分けて、前記光源駆動部を制御することを特徴とする請求項１に記載のバックライトユニット。
【請求項１４】
表示パネルと、
前記表示パネルの背面に位置する光源部と、
前記光源部からの光を受光する光ファイバーと、
前記光ファイバーが受光した光が伝達されて光の色を感知する光センサーと、
前記光源部に電源を供給する光源駆動部と、
前記光センサーが感知した色に基づき、前記光源部が所望する色の光を供給するように前記光源駆動部を制御する光源制御部と、
を含むことを特徴とする表示装置。
【請求項１５】
前記光源部を受容する蓋をさらに含み、
前記光センサーは前記蓋の背面に位置することを特徴とする請求項１４に記載の表示装置。
【請求項１６】
前記光センサーと前記光源制御部とは、単一の基板に実装されることを特徴とする請求項１４に記載の表示装置。
【請求項１７】
前記光センサーは少なくとも２つ以上の前記光ファイバーに連結されていることを特徴とする請求項１４に記載の表示装置。
【請求項１８】
前記表示パネルは液晶表示パネルであることを特徴とする請求項１４に記載の表示装置。
【請求項１９】
前記光源部は、緑色発光ダイオード、赤色発光ダイオード、及び青色発光ダイオードを含むことを特徴とする請求項１４に記載の表示装置。
【請求項２０】
互いに異なる２種類以上の色を各々発光する複数の点光源を含む光源部からの光を、光ファイバーを利用して受光する段階と、
受光された光の色を感知する段階と、
前記感知した色に基づき、前記光源部が所望する色の光を供給するように前記光源部に供給される電源を制御する段階と、
を含むことを特徴とするバックライトユニット駆動方法。
【請求項２１】
前記電源を制御する段階は、前記複数の点光源の発光色別に形成されることを特徴とする請求項２０に記載のバックライトユニット駆動方法。
【請求項２２】
光ファイバーを利用して受光する段階は、前記光源部の複数の地点光ファイバーを利用して光を受光し、
前記電源を制御する段階は、前記光源部を区域別に分けて行われることを特徴とする請求項２０に記載のバックライトユニット駆動方法。
【発明の詳細な説明】
【技術分野】
【０００１】
本発明は、バックライトユニット、これを含む液晶表示装置とバックライトユニットの駆動方法に関し、より詳細には、点光源を含む光源部が供給する光の色を光ファイバーを利用して感知するバックライトユニット、これを含む液晶表示装置とバックライトユニットの駆動方法に関する。
【背景技術】
【０００２】
近年、従来のＣＲＴに替わる表示装置として、液晶表示装置(ＬＣＤ)、ＰＤＰ（プラズマディスプレイパネル）、ＯＬＥＤ（有機ＥＬ）等の平板表示装置が開発されている。
【０００３】
これらの中で、液晶表示装置は、薄膜トランジスター基板、カラーフィルター基板、及び両基板の間に液晶が注入されている液晶表示パネルを含むものである。液晶表示パネルは、非発光素子であるため、薄膜トランジスター基板の後面には光を供給するためのバックライトユニットが配置される。バックライトユニットから照射された光は、液晶の配列状態により透過量が調整される。液晶表示パネルとバックライトユニットとはシャシ内に受容されている。
【０００４】
バックライトユニットは、光源の位置によりエッジ型と直下型に区分される。エッジ型バックライトユニットは、導光板の側面に光源が設置される構造で、主にラップトップ型及びデスクトップコンピュータのように比較的小型の液晶表示装置に適用される。このようなエッジ型バックライトユニットは、光の均一性が良く、耐久寿命が長ため、液晶表示装置の薄型化に有利である。
【０００５】
直下型バックライトユニットは、液晶表示装置の大きさが大型化に重点を置いて開発された構造で、液晶表示パネルの下部面に一つ以上の光源を配置させて、液晶表示パネルに対して全面的に光を供給する構造である。このような直下型バックライトユニットは、エッジ型バックライトユニットに比べて、多くの光源を利用することができ、高い輝度を確保できる利点がある反面、輝度が均一でないという欠点がある。
【０００６】
直下型バックライトユニットの光源としては、ランプのような線光源でない発光ダイオードのような点光源が注目されている。点光源を用いる場合、互いに異なる色の光を発光する点光源からの光を混合して、白色光を供給する。
【０００７】
しかしながら、各色別の点光源は個別に駆動されるため、全体の色の制御が難しく、駆動時に温度上昇によって各点光源で発光する光の波長が変化してしまい、均一な色の光を供給することが難しいという問題がある。
【発明の開示】
【発明が解決しようとする課題】
【０００８】
本発明は前記問題を解決するためになされたものであって、点光源を含む光源部が供給する光の色を制御できるバックライトユニットを提供することを目的とする。
【０００９】
また、本発明は、点光源を含む光源部が供給する光の色を制御できるバックライトユニットを含む表示装置を提供することを目的とする。
【００１０】
また、本発明は、点光源を含む光源部が供給する光の色を制御できるバックライトユニットの駆動方法を提供することを目的とする。
【課題を解決するための手段】
【００１１】
前記目的を達成するための本発明に係るバックライトユニットは、点光源を含む光源部と、前記光源部からの光を受光する光ファイバーと、前記光ファイバーが受光した光が伝達されて、色を感知する光センサーと、前記光源部に電源を供給する光源駆動部と、前記光センサーが感知した色に基づき、前記光源部が所望する色の光を供給するように前記光源駆動部を制御する光源制御部と、を含むことを特徴とする。
【００１２】
前記光源部を受容する蓋をさらに含み、前記光センサーは前記蓋の背面に位置することが望ましい。
【００１３】
前記光センサーと前記光源制御部は単一の基板に実装されることが望ましい。
【００１４】
前記光ファイバーは、複数配置されていることが望ましい。
【００１５】
前記光センサーは、少なくとも２つ以上の前記光ファイバーに連結されることが望ましい。
【００１６】
前記光ファイバーの一側末端は、前記光源部の略中央部に位置することが望ましい。
【００１７】
前記光ファイバーの一側末端は、前記光源部の側面に位置することが望ましい。
【００１８】
前記光源部は、緑色発光ダイオード、赤色発光ダイオード、及び青色発光ダイオードを含むことが望ましい。
【００１９】
前記光ファイバーの一側末端にはレンズが付着されていることが望ましい。
【００２０】
前記光ファイバーと前記光センサーの間に位置して前記光ファイバーからの光をフィルターリングまたは平均化する光学部品をさらに含むことが望ましい。
【００２１】
前記光ファイバーの一側末端は前記点光源に隣接して配置されることが望ましい。
【００２２】
前記光源制御部は、前記点光源の発光色別に前記光源駆動部を制御することが望ましい。
【００２３】
前記光ファイバーは、複数個として前記光源部の複数の地点で光を受光し、前記光源制御部は前記光源部を区域別に分けて、前記光源駆動部を制御することが望ましい。
【００２４】
また、前記目的を達成するための本発明に係る表示装置は、表示パネルと、前記表示パネルの背面に位置する光源部と、前記光源部からの光を受光する光ファイバーと、前記光ファイバーが受光した光を伝達されて伝えられた光の色を感知する光センサーと、前記光源部に電源を供給する光源駆動部と、前記光センサーが感知した色に基づき、前記光源部が所望する色の光を供給するように前記光源駆動部を制御する光源制御部と、を含むことを特徴とする。
【００２５】
前記光源部を受容する蓋をさらに含み、前記光センサーは前記蓋の背面に位置することが望ましい。
【００２６】
前記光センサーと前記光源制御部は単一の基板に実装されることが望ましい。
【００２７】
前記光センサーは、少なくとも２つ以上の前記光ファイバーに連結されることが望ましい。
【００２８】
前記表示パネルは、液晶表示パネルであることが望ましい。
【００２９】
前記光源部は、緑色発光ダイオード、赤色発光ダイオード、及び青色発光ダイオードを含むことが望ましい。
【００３０】
また、前記目的を達成するための本発明に係るバックライトユニットの駆動方法は、互いに異なる２種類以上の色を各々発光する複数の点光源を含む光源部からの光を、光ファイバーを利用して受光する段階と、受光された光の色を感知する段階と、前記感知した色に基づき、前記光源部が所望する色の光を供給するように前記光源部に供給される電源を制御する段階と、を含むことを特徴とする。
【００３１】
光ファイバーを利用して受光する段階は、前記光源部の複数の地点光ファイバーを利用して光を受光し、前記電源を制御する段階は、前記光源部を区域別に分けて行われることが望ましい。
【発明の効果】
【００３２】
本発明により、点光源を含む光源部が供給する光の色を制御できるバックライトユニット及びこれを含む表示装置を提供することができる。
【００３３】
また、点光源を含む光源部が供給する光の色を制御することができるバックライトユニットの駆動方法を提供することができる。
【発明を実施するための最良の形態】
【００３４】
以下、添付した図面を参照して、本発明をより詳細に説明する。
【００３５】
以下の実施形態では点光源として発光ダイオードを例にとって説明するが、本発明の点光源は発光ダイオードに限定されない。また、表示装置として液晶表示装置を例にとって説明するが、本発明の表示装置は液晶表示装置に限定されない。したがって、バックライトユニットを含む他の表示装置にも適用可能である。
【００３６】
また、以下に説明する実施形態において、同じ構成要素については同じ参照番号をつけ、また同じ構成要素については第１実施形態で代表的に説明して他の実施形態では重複記載を避けるため省略する。
【００３７】
本発明の第１実施形態による液晶表示装置を図１〜図３を参照して説明する。
【００３８】
図１は、本発明の第１実施形態に係る液晶表示装置の分解斜視図であり、図２は本発明の第１実施形態に係る液晶表示装置の背面図、図３は本発明の第１実施形態に係る液晶表示装置の概略的な構成を示すバックライトユニット制御ブロック図である。
【００３９】
第１実施形態に係る液晶表示装置において、バックライトユニットは直下型バックライトユニットやエッジ型バックライトユニットにも適用可能である。光源部が液晶表示パネルに提供しようとする光として白色光を例にとって説明するが、これに限定されない。
【００４０】
図１〜図３に示すように、液晶表示装置１は、液晶表示パネル２０と液晶表示パネル２０に光を供給するバックライトユニット１００とを含む。液晶表示パネル２０は、上部蓋１０とバックライトユニット１００の下部蓋６０内とに受容されている。バックライトユニット１００は、光調節部材３０、反射板４０、光源部５０、下部蓋６０、光ファイバー７１、光センサー７５、光源制御部８１、及び光源駆動部８５を含む。
【００４１】
液晶表示パネル２０は、薄膜トランジスターが形成されている薄膜トランジスター基板２１と、薄膜トランジスター基板２１と対向して配置されているカラーフィルター基板２２を含み、両基板２１、２２の間には液晶層(図示せず)が位置している。液晶表示パネル２０は液晶層の配列を調整し、画面を表示するが、非発光素子であるため背面に位置した光源部５０から光の供給を受ける必要がある。
【００４２】
薄膜トランジスター基板２１の一側には駆動信号印加のための駆動部２５が配置されている。駆動部２５は、一側が薄膜トランジスター基板２１に連結される軟性印刷回路基板２６、軟性印刷回路基板２６に実装されている駆動チップ２７、軟性印刷回路基板２６の他側に連結されておりバックライトユニット１００の側面を覆っている連結回路基板２８、そして連結回路基板２８に連結されており下部蓋６０の背面に位置している駆動回路基板２９を含む。図に示された駆動部２５は、ＣＯＦ（Ｃｈｉｐ  ｏｎ  Ｆｉｌｍ）方式を示し、ＴＣＰ（Ｔａｐｅ  Ｃａｒｒｉｅｒ  Ｐａｃｋａｇｅ）、ＣＯＧ（Ｃｈｉｐ  ｏｎ  Ｇｌａｓｓ）等の公知された他の方式も使用可能である。また駆動部２５の一部が配線形成過程で薄膜トランジスター基板２１に形成されるのも可能である。
【００４３】
液晶表示パネル２０の背面に位置する光調節部材３０は、拡散板３１、プリズムフィルム３２、及び保護フィルム３３を含むことができる。
【００４４】
拡散板３１は、ベース板とベース板に形成された玉形のビードとを含むコーティング層で形成されている。拡散板３１は光源部５０から供給された光を拡散させて、輝度を均一にする。
【００４５】
プリズムフィルム３２は、上部面に三角柱形のプリズムが一定の配列で形成されている。プリズムフィルム３２は、拡散板３１で拡散し光を上部の液晶表示パネル２０の配置平面に垂直方向で集光する役割を果たす。プリズムフィルム３２は、通常、２枚が使われて各プリズムフィルム３２に形成されたマイクロプリズムは所定の角度を成している。プリズムフィルム３２を通過した光は、略垂直に進行されて均一な輝度分布を形成する。必要に応じて、プリズムフィルム３２と共に反射偏光フィルムを用いることができ、プリズムフィルム３２なしで反射偏光フィルムだけを使用するのも可能である。
【００４６】
最も上部に位置する保護フィルム３３は、スクラッチに弱いプリズムフィルム３２を保護する。
【００４７】
発光ダイオード５２が実装されていない発光ダイオード回路基板５１上には反射板４０が配置されている。反射板４０には発光ダイオード５２の配置に対応する発光ダイオード受容孔４１が形成されている。各発光ダイオード受容孔４１には３個の発光ダイオード５２で形成された発光ダイオード群５３が位置して、発光ダイオード受容孔４１は発光ダイオード群５３に比べて、多少大きく形成される。
【００４８】
反射板４０は、下部へ入射される光を反射させて、拡散板３１に供給する役割を果たす。反射板４０は、ポリエチレンテレフタレート(ＰＥＴ)やポリカーボネート(ＰＣ)で形成されることができ、銀やアルミニウムでコーティングされているものでも良い。また、反射板４０は、発光ダイオード５２で発生する強い熱によりひずみが発生しないように多少厚く形成される。
【００４９】
発光ダイオード回路基板５１は、棒形状であり、８つが並んで等間隔で配置されている。発光ダイオード５２では熱がたくさん発生するため、発光ダイオード回路基板５１は熱伝逹率が優れたアルミニウムを主材料として使用して作られる。図示しないが、熱放出を容易にするため、バックライトユニット１００はヒートパイプ、放熱フィンは、冷却ファンなどをさらに含むことができる。
【００５０】
発光ダイオード５２は、発光ダイオード回路基板５１に実装され、液晶表示パネル２０の背面全体にかけて配置されている。発光ダイオード５２は、３つの発光ダイオード５２で形成された発光ダイオード群５３を成しながら、発光ダイオード回路基板５１に実装される。発光ダイオード群５３は、各々一つずつの赤色光発光ダイオード５２ａ、緑色光発光ダイオード５２ｂ、青色光発光ダイオード５２ｃで形成され、発光ダイオード５２ａ、５２ｂ、５２ｃは正三角形を成すように配置されている。
【００５１】
発光ダイオード回路基板５１上で発光ダイオード群５３は、一定の間隔に配置されている。隣接した発光ダイオード回路基板５１の発光ダイオードグループ５３は互いに行き違うように配置されている。
【００５２】
発光ダイオードグループ５３は、互いに異なる色を発光する３つの発光ダイオード５２を含んで白色光を供給することができる。発光ダイオード５２と反射板３１とは、所定間隔離隔されて、各発光ダイオード５２から発光した光がミキシングできる空間を形成する。これにより、バックライトユニット１００は、液晶表示パネル１０に白色光を供給することができる。
【００５３】
ところが、液晶表示装置１の駆動によるバックライトユニット１００の温度上昇などで各発光ダイオード５２の発光特性が変化して、白色光を提供することができない場合がある。このような問題を解決するために、本発明では光源部５０から提供する光のカラー特性を測定するために光ファイバー７１と光センサー７５を使用する。
【００５４】
光ファイバー７１は一端が光源部５０に隣接して、光源部５０からの光を受光し、他端は光センサー７５に連結して、光源部５０からの光を伝達する。第１実施形態における光ファイバー７１の一端は、光源部５０の略中心部に位置して下部蓋６０に形成されている通過孔６１を通じて、下部蓋６０の背面に延びている。光ファイバー７１は、占める体積が少なく、光源部５０の光特性に及ぼす影響が小さく、かつ柔軟性が優れて設置位置を自由に調節することができる。
【００５５】
光センサー７５は、光ファイバー７１から伝えられた光のカラー特性を感知して、これを光源制御部８１に伝達する。光センサー７５は、下部蓋６０の背面に位置する統合基板８０上に実装されるため、この統合基板８０には光源制御部８１も実装される。光センサー７５と光源制御部８１とが一つの統合基板８０に実装されていて製造過程が簡単で製造費も節減することができる。また、光センサー７５と光源制御部８１との間に連結ケーブルを使用しないでノイズの流入を減少させることができる。
【００５６】
これとは異なり、光センサー７５と光源制御部８１とが駆動回路基板２９上に実装されたり、光源駆動部８５に共に実装されたりすることができる。また、光センサー７５が光源制御部８１に内蔵されるのも可能である。一方、光ファイバー７１を脱付着が便利なコネクター形態で使用して、組立と再作業を容易にすることができる。
【００５７】
光源駆動部８５は、発光ダイオード回路基板５１を通じて、発光ダイオード５２に電源を供給する。光源駆動部８５は、発光ダイオード５２を発光色別に、そして、位置別に電源供給を調節することができるものが望ましい。光源制御部８１は、光センサー７５が感知したカラー特性に基づき、発光ダイオード５２に供給される電源が調節されるように光源駆動部８５を制御する。例えば、赤色光が足りないことをカラー特性が感知されると、赤色光発光ダイオード５２ａに供給される電源を増加させたり、緑色光発光ダイオード５２ｂ及び青色光発光ダイオード５２ｃに供給される電源を減少させたりする。
【００５８】
下部蓋６０の背面には発光ダイオード５２で発生する熱を放熱させるための放熱部９０が形成されている。放熱部９０は、空気との接触面積が大きいピン９１と冷却ファン９２で形成される。
【００５９】
以上のように、本発明では光源部５０が提供する光が所望する色を有するように制御することができる。光の感知に使用する光ファイバー７１は、位置の調節が自由で必要な部分のカラー情報を容易に得られて、追加費用もあまりかからない。また、光ファイバー７１は、電気信号を使用しないので、遠距離の信号伝達過程でノイズが発生しない利点がある。
【００６０】
図４〜図７は、本発明の第２実施形態〜第５実施形態による液晶表示装置を説明するための図である。
【００６１】
図４に示した第２実施形態では光ファイバー７１が３つ配置されている。３つの光ファイバー７１のうち、一つは光源部５０が配置されている配置平面の中心部に位置し、残りの２つは両辺部に位置する。光ファイバー７１は、非常に細く占める体積が小いので、複数設置しても光源部５０の光特性に及ぼす影響が少ない。
【００６２】
３つの光ファイバー７１と光センサー７５のとの間には光学部材７２が位置している。光学部材７２は、３つの光ファイバー７１で伝えられた光をフィルターリングして、一つだけの光ファイバー７１で伝えられた光だけを光センサー７５で供給したり、３つの光ファイバー７１から伝えられた光を平均化して、光センサー７５に供給したりする。
【００６３】
第２実施形態によると、光源部５０が供給する光を複数の地点で感知して、カラー特性をより正確に感知することができる。また、複数の光ファイバー７１を使用しつつ、光センサー７５は一つのみを使用するため、構成が簡単で、追加費用もあまりかからない。
【００６４】
図５に示した第３実施形態では、光源部５０に位置した光ファイバー７１の末端にレンズ７３が装着されている。レンズ７３は、光ファイバー７１が感知する光の範囲（角度）や波長などを調節して、光ファイバー７１の感知の自由度を有するように選択的に可能にする。特に、光ファイバー７１が感知する光の範囲を広めるレンズ７３を使用すれば光ファイバー７１の数を減らしながらも、光源部５０全体のカラー特性を感知できる。
【００６５】
図６に示した第４実施形態では、光源部５０が複数の区域に分かれており、各区域ごとに光ファイバー７１が配置されている。光ファイバー７１と光センサー７２の間には第３実施形態のように光ファイバー７１からの光をフィルターリングまたは平均化する光学部品７２が位置できる。
【００６６】
第４実施形態で光源駆動部８５は、各区域別に発光ダイオード５２に供給される電源を調節できるように配置される。これにより、各区域別に色感知が可能になり、各区域別に電源制御が可能になる。第４実施形態で発光ダイオード回路基板５１は各区域別に分離することができる。
【００６７】
図７に示した第５実施形態では赤色光発光ダイオード５２ａ、緑色光発光ダイオード５２ｂ、及び青色光発光ダイオード５２ｃの各々に隣接して、光ファイバー７１が配置されている。各色の発光ダイオード５２に隣接した光ファイバー７１は該当発光ダイオード５２の光を主に感知するが、このために光ファイバー７１の末端には受光範囲を限定するレンズ７３が設置される。
【００６８】
本発明のいくつかの実施形態を図示しながら説明したが、本発明が属する技術分野の通常の知識を有する当業者であれば、本発明を逸脱しない範囲内で本実施形態を変形することができることがわかる。
【産業上の利用可能性】
【００６９】
本発明は、液晶表示装置に関する分野に有用である。
【図面の簡単な説明】
【００７０】
【図１】本発明の第１実施形態による液晶表示装置の分析斜視図である。
【図２】本発明の第１実施形態による液晶表示装置の背面図である。
【図３】本発明の第１実施形態による液晶表示装置のバックライトユニット制御ブロック図である。
【図４】本発明の第２実施形態に係る液晶表示装置を説明するための図である。
【図５】本発明の第２実施形態乃至第５実施形態に係る液晶表示装置を説明するための図である。
【図６】本発明の第２実施形態乃至第５実施形態に係る液晶表示装置を説明するための図である。
【図７】本発明の第２実施形態乃至第５実施形態に係る液晶表示装置を説明するための図である。
【符号の説明】
【００７１】
１０    上部シャシ、
２０    液晶表示パネル、
３０    光調節部材、
４０    反射板、
４１    発光ダイオード受容口、
５１    発光ダイオード回路基板、
５２    発光ダイオード、
６０    ハブシャシ、
７１    光ファイバー、
７５    光センサー、
８１    光源制御部、
８５    光源駆動部、
９０    放熱部。
【図１】
2007066891.tif 000003
【図２】
2007066891.tif 000004
【図３】
2007066891.tif 000005
【図４】
2007066891.tif 000006
【図５】
2007066891.tif 000007
【図６】
2007066891.tif 000008
【図７】
2007066891.tif 000009